(57)【要約】【課題】  長さや幅を任意の寸法に手軽且つ容易に調節し得るベッドフレームを構築し得るベッドフレーム部品及びそれを用いたベッドフレームを提供する。【解決手段】  ベッドフレーム部品は、断面Ｌ字形状の複数のエンド部材１１と、一対で四角形状に嵌合させ得る一対以上のＵ字形状のボトム部材２１とからなる。ベッドフレームＢＦの構築に際して、複数のエンド部材１１がそれらの底板片１２を後方に向けて幅方向に配置されると共に一対以上のボトム部材２１が前記エンド部材１１の底板片１２の後方に連ねて配置されてなり、前記エンド部材１１の竪板片１３によりヘッドボードＨＢが形成されると共に前記エンド部材１１の底板片１２及び前記ボトム部材２１によりボトムＢＭが形成される。【選択図】      図１
2005021560.tif 000002
【特許請求の範囲】
【請求項１】
底板片及び竪板片を断面Ｌ字形状に一体化してなる複数のエンド部材と、短脚、長脚及び架橋部をＵ字形状に一体化してなり、一対で四角形状に嵌合させ得る一対以上のボトム部材とからなるベッドフレーム部品。
【請求項２】
エンド部材及びボトム部材がゴム状弾性体材料からなる、請求項１又は２に記載のベッドフレーム部品。
【請求項３】
請求項１に記載のベッドフレーム部品を用いたベッドフレームであり、複数のエンド部材がそれらの底板片を後方に向けて幅方向に配置されると共に一対以上のボトム部材が前記エンド部材の底板片の後方に連ねて配置されてなり、前記エンド部材の竪板片によりヘッドボードが形成されると共に前記エンド部材の底板片及び前記ボトム部材によりボトムが形成されることを特徴とするベッドフレーム。
【請求項４】
請求項１に記載のベッドフレーム部品を用いたベッドフレームであり、複数のエンド部材がそれらの底板片を後方に向けて幅方向に配置されると共に一対以上のボトム部材が前記エンド部材の底板片の後方に連ねて配置され、さらに複数の別のエンド部材がそれらの底板片を前方に向けて且つ前記ボトム部材の後方に連ねて幅方向に配置されてなり、前記前方のエンド部材の竪板片によりヘッドボードが形成されると共に前記後方のエンド部材の竪板片によりフットボードが形成され、且つ前記前方のエンド部材の底板片、前記ボトム部材及び前記後方のエンド部材の底板片によりボトムが形成されることを特徴とするベッドフレーム。
【請求項５】
ボトム部材によるボトムの形成に際して、少なくとも一対のボトム部材が四角形状に互いに嵌合した状態で配置された、請求項３又は４に記載のベッドフレーム。
【請求項６】
ボトム部材によるボトムの形成に際して、少なくとも一対のボトム部材が分解された状態で個別に配置された、請求項３又は４に記載のベッドフレーム。
【請求項７】
分解された２個のボトム部材が一方の短脚及び長脚を他方の短脚及び長脚又は長脚及び短脚と対向させて四角枠形状を形成するように配置された、請求項６に記載のベッドフレーム。
【請求項８】
四角枠形状に形成された２個のボトム部材がそれらの短脚及び長脚を前後方向に向けて配置された、請求項７に記載のベッドフレーム。
【請求項９】
四角枠形状に形成された２個のボトム部材がそれらの短脚及び長脚を幅方向に向けて配置された、請求項７に記載のベッドフレーム。
【発明の詳細な説明】
【技術分野】
【０００１】
本発明は、長さ及び幅の調節が可能なベッドを得るためのベッドフレーム部品及びそれを用いたベッドフレームに関する。
【背景技術】
【０００２】
ベッド長さを調節し得るようにしたベッドフレームの構造として、例えば、特開平７−２１３３８２号公報には、３個のブロックを長手方向に配列すると共にそれらの上面側においてヒンジで回動可能に連結してなり、中央のブロックに対して前後の各ブロックを適宜回動して形態を変更するようにしたものが開示され、特開平１１−９３９３号公報には、床板を支えるフレームの一部を異なる長さのフレームと交換するようにしたものが開示され、特開２０００−２３７８５号、特開２０００−２３７８６号、特開２０００−３７２６１号の各公報には、ボトム端部を支えるフレーム端部にフレーム長手方向に伸縮調節可能に延長フレームを設けるようにしたものが開示され、特開２００１−３７５８７号公報には、ヘッド側ベッド枠とフット側ベッド枠とを所望のベッド枠長さとなるように連結したものが開示され、さらに特開２００１−２９９８２６号公報には、互いに隣接するフレームを任意の間隔に調節可能にヒンジで連結したものが開示されている。
【０００３】
一方、ベッド幅を調節し得るようにしたベッドフレームの構造として、例えば、特開平１０−８５０８１号公報には、左右側枠の間に中枠を配設すると共に該中枠の前後に頭足側枠を各々配設してなり、前記頭足側枠を該中枠に対して左右方向位置調節自在に支持するようにし、或いは該頭足側枠を長さ違いのものに交換するようにしたものが開示され、特開２０００−１６６６９８号公報には、ボトム側辺にマットレス端縁の載置可能な横棒部材を進退可能に支持させるようにしたものが開示され、さらに特開２０００−１８９２８４号公報には、ボトム側辺に扁平キャップを幅方向に進退可能に装着したものが開示されている。
【０００４】
しかしながら、前記従来のベッドフレームでは、何れも、ベッドの使用態様、ベッド使用者の身長、ベッドフレームに装着されるマットレスの大きさ等に応じて長さ及び幅を任意の寸法に手軽且つ容易に調節することができなかった。
【特許文献１】特開平７−２１３３８２号公報
【特許文献２】特開平１１−９３９３号公報
【特許文献３】特開２０００−２３７８５号公報
【特許文献４】特開２０００−２３７８６号公報
【特許文献５】特開２０００−３７２６１号公報
【特許文献６】特開２００１−３７５８７号公報
【特許文献７】特開２００１−２９９８２６号公報
【特許文献８】特開平１０−８５０８１号公報
【特許文献９】特開２０００−１６６６９８号公報
【特許文献１０】特開２０００−１８９２８４号公報
【発明の開示】
【発明が解決しようとする課題】
【０００５】
本発明の課題は、ベッドの使用態様、ベッド使用者の身長、ベッドフレームに装着されるマットレスの大きさ等に応じて長さや幅を任意の寸法に手軽且つ容易に調節し得るベッドフレームを構築することができるベッドフレーム部品及びそれを用いたベッドフレームを提供することにある。
【０００６】
さらに、本発明の別の課題は、部品の数及び種類が少なく、軽量化、小型化され、不使用時の収納性に優れたベッドフレーム部品及びそれを用いたベッドフレームを提供することにある。
【課題を解決するための手段】
【０００７】
本発明に係るベッドフレーム部品は、底板片及び竪板片を断面Ｌ字形状に一体化してなる複数のエンド部材と、短脚、長脚及び架橋部をＵ字形状に一体化してなり、一対で四角形状に嵌合させ得る一対以上のボトム部材とからなるものである。
【０００８】
前記ベッドフレーム部品は、限定されない種々の方法によって所要サイズのベッドフレームに構築することができる。
【０００９】
前記ベッドフレーム部品を用いた第一の態様のベッドフレームは、複数のエンド部材がそれらの底板片を後方に向けて幅方向に配置されると共に一対以上のボトム部材が前記エンド部材の底板片の後方に連ねて配置されてなり、前記エンド部材の竪板片によりヘッドボードが形成されると共に前記エンド部材の底板片及び前記ボトム部材によりボトムが形成されることを特徴としている。
【００１０】
また、前記ベッドフレーム部品を用いた第二の態様のベッドフレームは、複数のエンド部材がそれらの底板片を後方に向けて幅方向に配置されると共に一対以上のボトム部材が前記エンド部材の底板片の後方に連ねて配置され、さらに複数の別のエンド部材がそれらの底板片を前方に向けて且つ前記ボトム部材の後方に連ねて幅方向に配置されてなり、前記前方のエンド部材の竪板片によりヘッドボードが形成されると共に前記後方のエンド部材の竪板片によりフットボードが形成され、且つ前記前方のエンド部材の底板片、前記ボトム部材及び前記後方のエンド部材の底板片によりボトムが形成されることを特徴としている。
【００１１】
なお、前記ベッドフレーム部品を用いた前記以外の態様のベッドフレームとして、例えば、複数のエンド部材がそれらの底板片を前方に向けて幅方向に配置されると共に一対以上のボトム部材が前記エンド部材の底板片の前方に連ねて配置されてなり、前記エンド部材の竪板片によりフットボードが形成されると共に前記エンド部材の底板片及び前記ボトム部材によりボトムが形成されたもの、或いはヘッドボードやフットボードがボトム部材の組合せにより形成されたもの等も構築可能である。
【００１２】
前記ベッドフレームからベッドを形成するに際しては、該ベッドフレームにおける各エンド部材の底板片及び各ボトム部材により形成されたボトム上面に所要のサイズ、厚さ及び強度のマットレスが載置される。
【００１３】
前記ベッドフレームの構築に際してのサイズの調節は、隣接配置される両エンド部材の間隔、隣接配置される両ボトム部材の間隔、隣接配置されるエンド部材とボトム部材の間隔等の変更及びそれらの配置態様の変更等により自在に行なわれる。前記の各間隔は実質的にゼロであってもよく、或いはマットレスを安定に保持し得る範囲で各部材間が離隔されていてもよい。使用されされるエンド部材の数及びボトム部材の対数は、所要サイズのベッドフレームを得るために適宜増減される。また、前記エンド部材及びボトム部材が所要高さのボトム面、即ちマットレス支持面を確保するために、必要に応じて、それらの下に別のボトム部材が適宜の配置で装入されてもよい。
【００１４】
前記ベッドフレーム部品を構成するエンド部材には、ヘッドボード及びフットボードの各形成に応じてサイズや形態の異なるものが用意されてもよい。また、前記エンド部材は、収納性をさらに高めるために、底板片及び竪板片を組立て及び分解自在に一体化してなるものでもよい。また、前記ヘッドボードやフットボードの形成のために配置された複数のエンド部材における幅方向の間隙には、必要に応じて、それらの幅に応じたサイドテーブルや照明具等を設置することができ、或いはその間隙をベッド上への通路とすることも可能になる。
【００１５】
前記ベッドフレーム部品を構成するボトム部材は、一対で正方形状に嵌合させ得るものでもよく、或いは長方形状に嵌合させ得るであってもよい。
【００１６】
前記エンド部材及びボトム部材には、プラスチック、木材等の種々の材料を使用することができるが、軽量且つ組立て及び分解等時の取扱いに至便であり且つ四角形状に嵌合させたときにマット、座布団等のクッション材としても転用可能な点を考慮すれば強度に優れたゴム状弾性体材料を好適に採用することができる。
【００１７】
前記のようなボトム部材によるボトムの形成に際して、ボトム部材は、構築すべきベッドフレームのサイズ等に応じて種々の態様で配置される。例えば、少なくとも一対のボトム部材が四角形状に互いに嵌合した状態で配置されてもよく、或いは分解された状態で個別に配置されてもよい。
【００１８】
前記のように分解された２個のボトム部材は、個々に独立して適宜配置されてもよく、或いはより安定なボトムの形成のために、一方の短脚及び長脚を他方の短脚及び長脚又は長脚及び短脚と対向させて四角枠形状を形成するように配置されてもよい。
【００１９】
さらに、前記のように四角枠形状に形成された２個のボトム部材は、それらの短脚及び長脚を前後方向に向けて配置されてもよく、また幅方向に向けて配置されてよい。
【００２０】
なお、前記ボトム部材は、それらがベッドレームの構築に使用されない場合に、各対ごとに四角形状に互いに嵌合した状態にされることにより、収納性、取扱い性、輸送性を向上させることができる。
【００２１】
前記ベッドフレーム部品は、前記のようにベッドフレームの構築のために使用されるが、それらを構成する前記エンド部材及びボトム部材を適宜の態様で配置し、組み立てることにより、ソファーフレームを容易に構築することができる。
【００２２】
前記ソファーフレームの構築のために、例えば、複数のエンド部材がそれらの底板片を同じ方向に向けて幅方向に配置され、さらに肘掛けの付設のために、各底板片の所要側縁に、ボトム部材がそのＵ字状溝から短脚又は長脚を上にして嵌合されると共に、安定設置のために、前記底板片の下に前記ボトム部材の下部となる長脚又は短脚と干渉しないように所要数の別のボトム部材が支持台として装入されてもよい。
【発明の効果】
【００２３】
請求項１に記載の発明においては、部品の数及び種類が少なく、軽量化、小型化され、不使用時の収納性に優れたベッドフレーム部品を提供することができ、それを用いて、ベッドの使用態様、ベッド使用者の身長、ベッドフレームに装着されるマットレスの大きさ等に応じて長さや幅を任意の寸法に手軽且つ容易に調節し得るベッドフレームを構築することができる。
【００２４】
請求項２に記載の発明においては、軽量且つ組立て及び分解等時の取扱いに至便であり且つクッション材としても転用可能であるベッドフレーム部品を提供することができる。
【００２５】
請求項３及び４に記載の発明においては、ベッドの使用態様、ベッド使用者の身長、ベッドフレームに装着されるマットレスの大きさ等に応じて長さや幅を任意の寸法で手軽且つ容易に調節し得るベッドフレームを提供することができる。
【００２６】
請求項５に記載の発明においては、一対のボトム部材が四角形状に互いに嵌合した状態で配置されることにより、安定したマットレス支持面を与えるボトムを得ることができる。
【００２７】
請求項６に記載の発明においては、分解された各ボトム部材の自在な配置により、所要のボトムを任意に得ることができる。特に、請求項７に記載の発明においては、２個のボトム部材が四角枠形状に配置されることにより、安定したマットレス支持面を与えるボトムを得ることができる。中でも、請求項８に記載の発明においては、四角枠形状に形成された２個のボトム部材の前後方向間隔を調節することにより、ベッドフレームの長さを容易に調節することができる。また、請求項９に記載の発明においては、四角枠形状に形成された２個のボトム部材の幅方向間隔を調節することにより、ベッドフレームの幅を容易に調節することができる。
【発明を実施するための最良の形態】
【００２８】
以下、本発明を実施例に基づいて具体的に説明する。
図１は、本発明の実施例に係るベッドフレーム部品及びそれを用いたベッドフレームの一構築例の斜視図、図２は図１に示すベッドフレームの縦方向中央断面図である。
【００２９】
同図において、ベッドフレーム部品は、何れもゴム状弾性体材料からなる複数のエンド部材１１と複数のボトム部材２１とから構成されている。各エンド部材１１は、底板片１２及び竪板片１３を断面Ｌ字形状に一体化してなり、またボトム部材２１は、短脚２２、長脚２３及び架橋部２４をＵ字形状に一体化してなり、一対で四角形状に嵌合させることができるようになっている。
【００３０】
前記ベッドフレーム部品を用いてベッドフレームＢＦを構築するに際して、２個のエンド部材１１がそれらの底板片１２を後方に向けて幅方向に所要間隔で配置され、さらに二対のボトム部材２１が前記エンド部材１１の底板片１２の後方に連ねて幅方向及び前後方向に配置されている。
【００３１】
前記エンド部材１１の竪板片１３によりヘッドボードＨＢが形成され、前記エンド部材１１の底板片１２及び前記ボトム部材２１によりボトムＢＭが形成されている。
【００３２】
各対のボトム部材２１は、一方の短脚２２と他方の長脚２３を対向させて四角枠形状を形成するように、それらの短脚２２及び長脚２３を幅方向に向けて左右両側に配置されている。
【００３３】
前記の場合、所要のベッドフレーム長さ及び幅が得られるように、両エンド部材１１の幅方向間隔、エンド部材１１と前方一対のボトム部材２１の前後方向間隔、前方一対のボトム部材２１及び後方一対のボトム部材２１の前後方向間隔、前方一対のボトム部材２１の幅方向間隔及び後方一対のボトム部材２１の幅方向間隔等の各調節が適宜行なわれる。
【００３４】
前記ベッドフレームＢＦからベッドを形成するに際しては、図２に示すように、該ベッドフレームＢＦにおける２個のエンド部材１１の底板片１２及び２個のボトム部材２１からなるボトムＢＭの上面に所要のサイズ、厚さ及び強度のマットレスＭＴが載置される。
【００３５】
図３〜６は、本発明の実施例に係るベッドフレームの別の各構築例の平面図である。
図３に示す構築例では、図１及び図２に示す構築例において、前方一対のボトム部材２１がそれらの短脚２２及び長脚２３を幅方向に向けて四角枠形状に配置される代りに、前方に二対のボトム部材２１が幅方向に配置されると共に各対のボトム部材２１がそれらの短脚２２及び長脚２３を前後方向に向けて四角枠形状に配置されている。
【００３６】
前記の場合、所要のベッドフレーム長さ及び幅が得られるように、両エンド部材１１の幅方向間隔、エンド部材１１と前方二対のボトム部材２１の前後方向間隔、前方二対のボトム部材２１及び後方一対のボトム部材２１の前後方向間隔、前方二対のボトム部材２１の幅方向間隔、前方各対のボトム部材２１の前後方向間隔及び後方一対のボトム部材２１の幅方向間隔等の各調節が適宜行なわれる。
【００３７】
図４に示す構築例では、図３に示す構築例において、前方各対のボトム部材２１が四角枠形状に配置される代りに、四角形状に嵌合した状態で配置され、さらに後方一対のボトム部材２１が一方の短脚２２と他方の長脚２３を対向させて四角枠形状に配置される代りに、一方の短脚２２と他方の短脚２２、一方の長脚２３と他方の長脚２３を各々対向させて四角枠形状に配置されている。
【００３８】
前記の場合、所要のベッドフレーム長さ及び幅が得られるように、両エンド部材１１の幅方向間隔、エンド部材１１と前方二対のボトム部材２１の前後方向間隔、前方二対のボトム部材２１及び後方一対のボトム部材２１の前後方向間隔、前方二対のボトム部材２１の幅方向間隔及び後方一対のボトム部材２１の幅方向間隔等の調節が適宜行なわれる。
【００３９】
なお、前記の場合に、両エンド部材１１における比較的広い幅方向間隙に、必要に応じて、それらの幅に応じたサイドテーブルや照明具等が設置されてもよく、或いはその間隙がベッド上への通路とされてもよい。
【００４０】
図５に示す構築例では、図１及び図２に示す構築例において、前方一対のボトム部材２１がそれらの短脚２２及び長脚２３を幅方向に向けて四角枠形状に配置される代りに、各ボトム部材２１がその短脚２２及び長脚２３の各端部を後方に向け且つ該長脚２３を外側にして両側に配置されている。
【００４１】
前記の場合、所要のベッドフレーム長さ及び幅が得られるように、両エンド部材１１の幅方向間隔、エンド部材１１と前方一対のボトム部材２１の前後方向間隔、前方一対のボトム部材２１と後方一対のボトム部材２１の前後方向間隔、前方一対ボトム部材２１の幅方向間隔及び後方一対のボトム部材２１の幅方向間隔等の調節が適宜行なわれる。
【００４２】
図６に示す構築例では、図１及び図２に示す構築例において、後方一対のボトム部材２１がそれらの短脚２２及び長脚２３を幅方向に向けて配置される代りに、ヘッドボードＨＢの形成に使用されたエンド部材１１と同様の形状、構造を備えた２個の別のエンド部材１１がそれらの底板片１２を前方に向けて幅方向に配置されている。
【００４３】
前記構成では、前方のエンド部材１１の竪板片１３によりヘッドボードＨＢが形成されると共に後方のエンド部材１１の竪板片１３によりフットボードＦＢが形成され、さらに前方のエンド部材１１の底板片１２、ボトム部材２１及び後方のエンド部材１１の底板片１２によりボトムＢＭが形成されている。
【００４４】
前記の場合、所要のベッドフレーム長さ及び幅が得られるように、前方の両エンド部材１１の幅方向間隔及び後方の両エンド部材１１の幅方向間隔、前方のエンド部材１１と一対のボトム部材２１の前後方向間隔、一対のボトム部材２１と後方のエンド部材１１の前後方向間隔及び一対のボトム部材２１の幅方向間隔等の調節が適宜行なわれる。
【００４５】
図７は、本発明の実施例に係るベッドフレーム部品を用いたソファーフレームの一構築例の斜視図である。
同図において、３個のエンド部材１１がそれらの底板片１２を同じ方向に向けて幅方向に配置されると共に両外側の底板片１２の各外側縁に、ボトム部材２１がそのＵ字状溝から短脚２２を上にして嵌合され、さらに前記底板片１２の下には、前記ボトム部材２１の下部の長脚２３と干渉しないように所要数の別のボトム部材２１が支持台として装入されている。
【００４６】
前記ソファーフレームＳＦでは、各エンド部材１１の竪板片１３が背当てとなり、底板片１２が座面となり、また両外側の底板片１２に装入された各ボトム部材２１の短脚２２が肘掛けを形成している。なお、両外側の底板片１２に装入された各ボトム部材２１の長脚２３が肘掛けを形成するように構成することもできる。
【００４７】
図８は、本発明の実施例に係るベッドフレーム部品の内のボトム部材を用いたフットボードの一構築例の斜視図である。
同図において、一対のボトム部材２１が、図１及び図２に示すベッドフレームＢＦにおける後方のボトム部材２１と同様に、一方の短脚２２と他方の長脚２３を対向させて四角枠形状を形成するように、それらの短脚２２及び長脚２３を幅方向に向けて配置されている。
【００４８】
対向配置された前記一対のボトム部材２１における後端に配置された短脚２２及び長脚２３に、各々、別のボトム部材２１がそのＵ字状溝から長脚２３を上にして幅方向に嵌合され、さらに前記一対のボトム部材２１の下には、それに嵌合された前記ボトム部材２１の下部の短脚２２と干渉しないように、さらに別のボトム部材２１が支持台として装入されている。
【００４９】
前記構成では、対向配置された前記一対のボトム部材２１によりボトムＢＭの一部が形成され、またそれらに嵌合された各ボトム部材２１の長脚２３によりフットボードＦＢが形成されている。
【００５０】
前記の場合、フットボードＦＢ側のボトムＢＭが図１及び図２に示すベッドフレームのボトムＢＭに比べて高くなっており、前記構成のフットボードＦＢを使用してベッドフレームＢＦを構築する場合は、前記以外の他のボトムＢＭも前記フットボードＦＢ側のボトムＢＭの高さに実質的に調節すればよい。また、前記の場合のフットボードＦＢとして、図７に示すように座面が高くなったソファーフレームＳＦと同様の構造を採用することも可能である。
【００５１】
図９は、本発明の実施例に係るベッドフレーム部品における別の一対のボトム部材の平面図である。
同図において、一対のボトム部材が、長方形状に嵌合されている。このようなボトム部材も、一対で正方形状に嵌合可能なボトム部材に代えて、或いはそれらと併用してベッドフレームやソファーフレームの構築に使用することができることは言うまでもない。
【図面の簡単な説明】
【００５２】
【図１】本発明の実施例に係るベッドフレーム部品及びそれを用いたベッドフレームの一構築例の斜視図である。
【図２】図１に示すベッドフレームの縦方向中央断面図である。
【図３】本発明の実施例に係るベッドフレームの別の構築例の平面図である。
【図４】本発明の実施例に係るベッドフレームの別の構築例の平面図である。
【図５】本発明の実施例に係るベッドフレームの別の構築例の平面図である。
【図６】本発明の実施例に係るベッドフレームの別の構築例の平面図である。
【図７】本発明の実施例に係るベッドフレーム部品を用いたソファーフレームの一構築例の斜視図である。
【図８】本発明の実施例に係るベッドフレーム部品の内のボトム部材を用いたフットボードの一構築例の斜視図である。
【図９】本発明の実施例に係るベッドフレーム部品における別の一対のボトム部材の平面図である。
【符号の説明】
【００５３】
ＢＦ  ベッドフレーム
ＨＢ  ヘッドボード
ＦＢ  フットボード
ＢＭ  ボトム
ＭＴ  マットレス
１１  エンド部材
１２  底板片
１３  竪板片
２１  ボトム部材
２２  短脚
２３  長脚
２４  架橋部
【図１】
2005021560.tif 000003
【図２】
2005021560.tif 000004
【図３】
2005021560.tif 000005
【図４】
2005021560.tif 000006
【図５】
2005021560.tif 000007
【図６】
2005021560.tif 000008
【図７】
2005021560.tif 000009
【図８】
2005021560.tif 000010
【図９】
2005021560.tif 000011